(57)【要約】【課題】洗濯槽内の洗濯液を均一に温めることができ、洗いやすすぎ性能のムラを軽減する。【解決手段】筐体１と、筐体１内に配設される水槽５と、水槽５内に回転自在に配設される洗濯槽７と、水槽５の内部底部に回転自在に配設されるパルセータ８と、洗濯槽７及びパルセータ８を回転駆動するモータ９と、洗濯槽７内の水を循環できるように洗濯槽７に接続される循環路２８と、循環路２８に水の流れを形成する循環ポンプ２７と、水槽５内に配設され、洗濯液を加熱する加熱装置１９と、モータ９、循環ポンプ２７、加熱装置１９を制御する制御装置３３と、を備え、制御装置３３は、循環ポンプ２７と加熱装置１９とを同時に動作する。【選択図】図２
2019181093.tif 000002
【特許請求の範囲】
【請求項１】
筐体と、前記筐体内に配設される水槽と、前記水槽内に回転自在に配設される洗濯槽と、前記洗濯槽の内部底部に回転自在に配設されるパルセータと、前記洗濯槽及び前記パルセータを回転駆動するモータと、前記洗濯槽内の洗濯液を循環する循環路と、前記循環路に洗濯液の流れを形成する循環ポンプと、前記水槽内に配設され、洗濯液を加熱する加熱装置と、前記モータ、前記循環ポンプ、前記加熱装置を制御する制御装置とを備え、前記制御装置は、前記循環ポンプと前記加熱装置とを同時に動作することを特徴とする洗濯機。
【請求項２】
前記制御装置は、前記洗濯槽内の水の量が所定量より多い時は、前記循環ポンプと前記加熱装置を同時に動作し、前記洗濯槽内の水の量が所定量より少ない時は、前記加熱装置をのみを動作することを特徴とする請求項１記載の洗濯機。
【請求項３】
前記制御装置は、前記洗濯槽内の衣類の量が所定量より多い時は、前記循環ポンプと前記加熱装置を同時に動作し、前記洗濯槽内の衣類量が所定の量より少ない時は、前記加熱装置のみを動作することを特徴とする請求項１または２記載の洗濯機。
【請求項４】
前記洗濯槽の中間部に位置する吐出口を有し、前記制御装置は、前記洗濯槽内の水の量が所定量より少ない時は、前記加熱装置を通電した後に前記パルセータのみを動作し、前記洗濯槽内の水の量が所定量より多い時は、前記加熱装置の通電と同時に前記循環ポンプを動作することを特徴とする請求項１〜３記載の洗濯機。
【請求項５】
前記制御装置は、前記洗濯槽内の衣類の量が所定の量より少ない時は、前記加熱装置を通電した後に前記パルセータを動作し、前記洗濯槽内の衣類の量が所定量より多い時は、前記加熱装置の通電と同時に前記循環ポンプを動作することを特徴とする請求項１〜４記載の洗濯機。
【発明の詳細な説明】
【技術分野】
【０００１】
本発明は、温水を用いて衣類等を洗濯する洗濯機に関する。
【背景技術】
【０００２】
従来、この種洗濯機として、洗濯液を昇温させることにより、汚れを落としやすくする洗濯機が提案されている（例えば、特許文献１参照）。
【０００３】
図１０は、従来の洗濯機の断面図である。図１０において、水槽６３に水を供給する給水口６２と、給水口６２から水槽６３に至る給水経路を主水路６４とバイパス経路６５に分岐する切換弁６６とを備え、バイパス経路６５の途中に加熱器６７を設けている。
【０００４】
しかしながら、この構成では、加熱した洗濯液を水槽６３に供給する流路が複雑となる問題点があった。
【先行技術文献】
【特許文献】
【０００５】
【特許文献１】特開２００６−４３１００号公報
【発明の概要】
【発明が解決しようとする課題】
【０００６】
しかしながら、この構成では、加熱した洗濯液を水槽６３に供給する流路が複雑となる問題点があった。
【０００７】
本発明は、前記従来の課題を解決するもので、構造を簡素化し得る洗濯機を提供することを課題とする。
【課題を解決するための手段】
【０００８】
前記従来の課題を解決するために、本発明の洗濯機は、筐体と、前記筐体内に配設される水槽と、前記水槽内に回転自在に配設される洗濯槽と、前記水槽の内部底部に回転自在に配設されるパルセータと、前記洗濯槽及び前記パルセータを回転駆動するモータと、前記洗濯槽内の水を循環できるように前記洗濯槽に接続される循環路と、前記循環路に水の流れを形成する循環ポンプと、前記水槽内に配設され、洗濯液を加熱する加熱装置と、前記駆動手段、前記循環ポンプ、前記加熱装置を制御する制御装置とを備え、前記制御装置は、前記循環ポンプと前記加熱装置とを同時に動作するものである。
【０００９】
これによって、洗濯槽内の洗濯液を均一に温めることができ、洗いやすすぎ性能のムラを軽減し得る洗濯機を提供することができる。
【発明の効果】
【００１０】
本発明の洗濯機は、洗濯槽内の洗濯液の温度差を低減でき、洗いやすすぎ性能のムラを抑制し得る洗濯機を提供することができる。
【図面の簡単な説明】
【００１１】
【図１】本発明の実施の形態１における洗濯機の扉体を取り外した状態の背面側から見た斜視図
【図２】同洗濯機の断面図
【図３】同洗濯機の洗濯液の循環状態を示す断面図
【図４】同洗濯機の水槽を上方から見た平面図
【図５】同洗濯機の要部拡大平面図
【図６】同洗濯機の要部拡大断面図
【図７】同洗濯機の水槽を上方から見た斜視図
【図８】本発明の実施の形態２における洗濯機の水槽を上方から見た要部拡大平面図
【図９】同洗濯機の要部拡大断面図
【図１０】従来の洗濯機の断面図
【発明を実施するための形態】
【００１２】
第１の発明は、筐体と、前記筐体内に配設される水槽と、前記水槽内に回転自在に配設される洗濯槽と、前記水槽の内部底部に回転自在に配設されるパルセータと、前記洗濯槽及び前記パルセータを回転駆動するモータと、前記洗濯槽内の水を循環できるように前記洗濯槽に接続される循環路と、前記循環路に水の流れを形成する循環ポンプと、前記水槽内に配設され、洗濯液を加熱する加熱装置と、前記駆動手段、前記循環ポンプ、前記加熱装置を制御する制御装置と、を備え、前記制御装置は、前記循環ポンプと前記加熱装置とを同時に動作するものである。
【００１３】
これにより、前記洗濯槽の底部にある温度が低い洗濯液を前記循環ポンプで循環して注水口から前記洗濯槽内に供給する。このことにより、前記洗濯槽内の上部と下部の洗濯水が混ざり、均一に昇温することができる。
【００１４】
第２の発明は、第１の発明の制御装置は、前記洗濯槽内の水の量が所定量より多い時は、前記循環ポンプと前記加熱装置を同時に動作し、前記洗濯槽内の水の量が所定量より少ない時は、前記加熱装置をのみを動作するものである。
【００１５】
これにより、洗濯槽内の洗濯液の量が所定量より多い時には、加熱装置と循環ポンプを同時に作動することで、洗濯槽内の上部と下部の洗濯水が混ざり、均一に昇温することができる。また、洗濯槽内の洗濯液の量が所定量より少ない時には、加熱装置のみを動作することで、無駄な電力を使用することなく、洗濯水の温度を均一に昇温することができる。
【００１６】
第３の発明は、第１または第２の発明の制御装置は、前記洗濯槽内の衣類の量が所定量より多い時は前記循環ポンプと前記加熱装置を同時に動作し、前記洗濯槽内の衣類の量が所定量より少ない時は前記加熱装置のみを動作するものである。
【００１７】
これにより、洗濯槽内の衣類の量が所定量より多い時には、加熱装置と循環ポンプを同時に作動することで、洗濯槽内の上部と下部の衣類に含まれる洗濯液の温度を均一にすることができる。また、洗濯槽内の衣類の量が所定量より少ない時には、加熱装置のみを動作することで、無駄な電力を使用することなく、衣類に含まれる洗濯水の温度を均一に昇温することができる。
【００１８】
第４の発明は、前記洗濯槽内の中間部に位置する吐出口を有し、第１から第３のいずれかの発明の制御装置は、前記洗濯槽内の水の量が所定量より少ない時は、前記加熱装置を通電した後に前記パルセータのみを動作し、前記洗濯槽内の水の量が所定量より多い時は、前記加熱装置の通電と同時に前記循環ポンプを動作するものである。
【００１９】
これにより、洗濯槽内の洗濯液の量が所定量より少ない時には、加熱装置を動作させた後にパルセータのみを動作することで、無駄な電力を使用することなく、均一に昇温することができる。また、洗濯槽内の洗濯液の量が所定量より多い時には、加熱装置と循環ポンプを同時に作動することで、洗濯槽内の上部と下部の洗濯水が混ざり、均一に昇温する
ことができる。
【００２０】
第５の発明は、第１から第４のいずれかの発明の制御装置は、前記洗濯槽内の衣類の量が所定量より少ない時は、前記加熱装置を通電した後に前記パルセータを動作し、前記洗濯槽内の衣類の量が所定量より多い時は、前記加熱装置の通電と同時に前記循環ポンプを動作するものである。
【００２１】
これにより、洗濯槽内の衣類の量が所定量より少ない時には、加熱装置を動作させた後に前記パルセータのみを動作することで、無駄な電力を使用することなく、均一に昇温することができる。また、洗濯槽内の衣類の量が所定量より多い時には、加熱装置と循環ポンプを同時に作動することで、洗濯槽内の上部と下部の洗濯水が混ざり、均一に昇温することができる。
【００２２】
以下、本発明の実施の形態について、図面を参照しながら説明する。なお、本実施の形態によって本発明が限定されるものではない。
【００２３】
図１は、本発明の実施の形態における洗濯機の背面から見た分解斜視図、図２は、同洗濯機の縦断面図である。
【００２４】
筐体１は、前面、両側面及び背面を有するロ字状に形成され、背面側に開口２を形成し、開口２を扉体３により開閉可能に閉塞している。扉体３を取り外すことにより、開口２から筐体１内部を臨むことができる。
【００２５】
本実施の形態では、筐体１の背面側に開口２を形成しているので、開口２を介して筐体１内部をメンテナンスできる位置まで筐体１を回動させ、筐体１内部のメンテナンスを行なう。扉体３は、背面に配置することにより、洗濯機の設置時に、使用者の視界に入ることがなく、美観を損なうことがない。
【００２６】
本実施の形態では、筐体１の背面側に開口２を形成したが、側面に形成してもよい。側面に形成すると、メンテナンス時に筐体１の移動量を少なくすることができ、点検作業性を向上することができる。
【００２７】
筐体１の上方には、上部ケース４が装着される。筐体１及び上部ケース４により囲まれる空間には、難燃性の合成樹脂にて形成される有底円筒状の水槽５が支持され、水槽５の中心軸には、回転軸６が配設されている。水槽５内には、回転軸６に連結される洗濯槽７が内装され、洗濯槽７底部には、回転軸６に連結されるパルセータ８が配設されている。水槽５の下方には、モータ９が配設され、モータ９に回転軸６が連結され、モータ９により洗濯槽７とパルセータ８が回転駆動される。
【００２８】
水槽５の上面には、洗濯槽７内に洗濯物を投入するための投入口１０が形成され、投入口１０は、蓋体１１により開閉自在に閉塞される。上部ケース４には、洗濯槽７内に洗濯物を投入するための外投入口（図示せず）が形成され、外投入口は、外蓋１２により開閉自在に閉塞される。
【００２９】
洗濯槽７は、耐食性を有する金属製、本実施の形態では、ステンレスからなる円筒状の側壁７ａと、難燃性の合成樹脂からなる底壁７ｂとを備え、側壁７ａと底壁７ｂとを一体的に固定して構成される。洗濯槽７は、側壁７ａに多数の脱水孔１３を設けると共に、上部には脱水振動低減用の環状の流体バランサー１４を取り付けている。
【００３０】
洗濯槽７には、側壁７ａの相対向する位置に循環水路カバー１５が設けられ、洗濯槽７
の側面と循環水路カバー１５との間に循環水路（図示せず）が形成されている。洗濯槽７には、一対の循環水路カバー１５を装着することにより、相対向して２つの循環水路を形成している。循環水路カバー１５及び循環水路は、洗濯槽７の回転時のアンバランスの発生を抑制するために、同一形状に形成することが好ましいが、必要に応じて形状を異ならせても良い。
【００３１】
循環水路カバー１５には、洗濯槽７の中間部に対応する位置に吐出口１６を形成している。吐出口１６は、洗濯槽７の上部または中間部に対応する位置のどちらか一方もしくは両方に形成しても良い。
【００３２】
パルセータ８の下部には、羽根８ａが一体に形成されており、モータ９がパルセータ８を回転すると、羽根８ａの遠心力により洗濯水が外周側へ押し出されて、循環水路を循環し、循環水路の吐出口１６から洗濯槽７内に洗濯液を吐出、散水する。
【００３３】
水槽５底部には、回転軸６を中心として略円弧状に凹部１７が形成されており、水槽５底部は、凹部１７に向かって漸次低くなるように傾斜して形成されている。凹部１７には、凹部１７の一端側に排水口１８が形成されており、凹部１７底面は、排水口１８に向かって漸次低くなるように傾斜して形成されている。排水口１８は、凹部１７において、洗濯槽７の脱水時の回転方向の先行側の位置に形成されている。洗濯槽７の脱水時における回転方向は、洗濯槽７を上方から見た状態で、時計方向であり、図７に矢示するＡ方向である。
【００３４】
水槽５の凹部１７には、加熱装置１９が装着される取付部２０が水槽５の凹部１７底部から上方に向かって一体に膨出形成される。加熱装置１９は、水槽５内に供給された洗濯水を加熱するためのものであり、ヒータにより構成している。
【００３５】
取付部２０は、水槽５の側面から凹部１７に亘って形成され、凹部１７底面から上方に膨出形成されている。取付部２０は、洗濯槽７の回転方向に対して略直交する第１の側面２０ａと、第１の側面２０ａに対して略直交する第２の側面２０ｂを有している。第１の側面２０ａは、底面側から上方になるに従って洗濯槽７の回転方向側に向かって傾斜するように構成されている。第２の側面２０ｂは、略垂直な平面状に形成され、第２の側面２０ｂには、加熱装置１９が水槽５の外側から挿入される開口部２１が形成されている。
【００３６】
加熱装置１９は、ヒータ線を蛇行状に形成し、両端部分を絶縁・断熱機能を有する取付板２２に固定している。取付板２２には、サーミスタにより構成される温度センサ２３が装着されており、温度センサ２３により加熱装置１９の温度を検出している。温度センサ２３は、ヒータ線の両端部分の略中央位置に配設され、加熱装置１９の温度を正確に検出できるようにしている。取付板２２の外周部分には、シール材（図示せず）が設けられ、取付板２２がシール材により取付部２０の第２の側面２０ｂの開口部２１周縁に水密に取り付けられる。
【００３７】
水槽５は、取付部２０の開口部２１が扉体３に対向する位置に位置するように筐体１に装着される。扉体３を開放すると、筐体１の開口２に取付部２０の開口部２１が臨み、開口部２１に装着された加熱装置１９のメンテナンスを行うことが可能となる。
【００３８】
加熱装置１９の下方位置には、金属、本実施の形態では、ステンレスにより形成された遮熱板２４が配設され、遮熱板２４は、凹部１７底面との間に隙間をあけた状態に固定される。加熱装置１９と凹部１７底面との間に遮熱板２４を配設することにより、加熱装置１９の発熱が直接凹部１７に伝達されるのを抑制することができ、水槽５底部の熱劣化を抑制することができる。
【００３９】
加熱板２５には、温度センサ２３の上方位置に通孔２５ｇを形成している。加熱装置１９により加熱された洗濯液が通孔２５ｇから上方に通過するため、温度センサ２３周囲に加熱された洗濯液がとどまることがなく、温度センサ２３が洗濯液の温度を正確に検出することができる。
【００４０】
凹部１７の加熱装置１９近傍には、遮熱板２４と凹部１７側壁との間に循環水口３２が形成されている。循環水口３２には、循環ポンプ２７が接続され、循環ポンプ２７には、循環路２８の一端が接続される。循環路２８は、水槽５の外部に配設され、循環路２８の他端は、投入口１０近傍に形成した注水口２９に接続され、循環ポンプ２７によって洗濯液を注水口２９から洗濯槽７内の洗濯物に上方から供給する。
【００４１】
注水口２９は、循環水路の吐出口１６より上方に配置されている。循環ポンプ２７による洗濯液の循環量は、循環水路の洗濯液の循環量より大きく設定している。これにより、注水口２９から供給される洗濯液の量は多く、高い位置から供給されることになり、供給される洗濯液は、洗濯槽７内の洗濯物や洗濯液に当たって泡立ち、洗濯物を大量の泡で包み込んで汚れに作用し、洗浄性能を向上することができる。
【００４２】
上部ケース４の上面後部には、操作表示装置３０が配設され、操作表示装置３０を操作して各種運転コースを設定すると共に、設定された運転コース等を表示する。筐体１の開口２に臨む位置には、制御装置３３が配設され、制御装置３３により操作表示装置３０で選択された運転コースを実行する。
【００４３】
本実施の形態では、制御装置３３で実行する運転コースには、洗濯液を加熱して洗濯を行うコースと、洗濯液の非加熱状態で洗濯を行なうコースを設けている。
【００４４】
以上のように構成した洗濯機において、以下、その動作、作用を説明する。
【００４５】
外蓋１２及び蓋体１１を開き、投入口１０から洗濯槽７内に洗濯物を投入して外蓋１２及び蓋体１１を閉じ、操作表示装置３０の電源スイッチ（図示せず）を操作して電源を投入する。操作表示装置３０により運転コース等を選択し、スタートスイッチ（図示せず）を操作して運転を開始させる。
【００４６】
運転が開始されると、投入された洗濯物の量を検知した後、給水手段（図示せず）が作動して給水が開始され、洗剤ケース（図示せず）に投入された洗剤と共に水槽５内に洗濯液が給水される。
【００４７】
水槽５内に所定量の洗濯液が貯留されると、循環ポンプ２７が作動して注水口２９から洗濯液が注水される（図３参照）。注水口２９からの洗濯液は、高い位置から供給されるので、洗濯槽７内の洗濯物に当たって泡立ち、泡は洗濯物の繊維の奥まで浸透して、汚れを包み込み、汚れを浮かせて洗い落とす。
【００４８】
水槽５への給水量は、洗濯槽７内に投入された洗濯物の量に応じて設定され、水位センサー（図示せず）により所定の水位を検知すると給水を停止し、モータ９が駆動してパルセータ８を交互に正逆回転させる。パルセータ８の回転により洗濯槽７内の洗濯物を洗濯液と共に撹拌し、洗濯物を洗濯する。
【００４９】
洗い工程においても、循環ポンプ２７の動作は継続される。泡立てた洗濯液を循環させて、泡を汚れに作用させ、効率よく汚れを落とすことができる。
【００５０】
洗い工程を所定時間継続し、洗いが終了すると、排水弁（図示せず）を開放し、排水を行なう。排水が終了すると、脱水を行なう。脱水は、洗濯槽７を一方向に、本実施の形態では、上方から見て洗濯槽７を時計方向に高速回転させることにより行なう。
【００５１】
脱水の後、給水手段を作動させて所定量の水を洗濯槽７に給水し、すすぎ工程を行い、さらに、脱水工程を行い、洗濯の各工程を終了する。
【００５２】
運転コースとして、洗濯液を加熱して洗濯を行うコースが選択された場合には、洗い工程において、洗濯液を加熱する加熱工程が行われる。運転が開始されると、投入された洗濯物の量を検知し、投入された洗濯物の量に応じて水槽５内へ給水される。給水とともに加熱装置１９に通電され、水槽５内の洗濯液を加熱する。
【００５３】
加熱装置１９により加熱された洗濯液は、上方に移動する。それに伴って温度が低い洗濯液は、洗濯槽７の下方に移動する。この時に、加熱装置１９と循環ポンプ２７を同時に作動し、洗濯槽７の底部の温度が低い洗濯液を循環ポンプ２７で循環して注水口２９から洗濯槽７内に供給する。このことにより、洗濯槽７内の上部と下部の洗濯液が混ざり、均一に昇温することができる。
【００５４】
洗濯槽７内の衣類の量が所定量より多い時には、洗濯槽７内の上部と下部との衣類に含まれる洗濯液の温度差は大きくなる。逆に、洗濯槽７内の衣類の量が所定量より少ない時には、洗濯槽７内の上部と下部との衣類に含まれる洗濯液の温度差は比較的小さくなる。
【００５５】
よって、洗濯槽７内の衣類の量が所定量より多い時には、加熱装置１９と循環ポンプ２７を同時に作動することで、洗濯槽７内の上部と下部の衣類に含まれる洗濯液の温度を均一にすることができる。一方、洗濯槽７内の衣類の量が所定量より少ない時には、加熱装置１９のみを動作することで、無駄な電力を使用することなく、衣類に含まれる洗濯液の温度を均一に昇温することができる。
【００５６】
本実施の形態では、衣類の所定量は、種々実験の結果、洗濯・脱水容量の洗濯物の重量の約１／５程度としている。より具体的には、洗濯・脱水容量の重量が１０Ｋｇ、１２Ｋｇの洗濯機を用いて実験しており、その結果、所定量を２Ｋｇに設定している。
【００５７】
洗濯槽７内の洗濯液の量が所定量より多い時には、洗濯槽７内の上部と下部との洗濯液の温度差は更に大きくなる。逆に、洗濯槽７内の洗濯液の量が所定量より少ない時には、洗濯槽７内の上部と下部との洗濯液の温度差は比較的小さくなる。
【００５８】
よって、洗濯槽７内の洗濯液の量が所定量より多い時には、加熱装置１９と循環ポンプ２７を同時に作動する。これにより、洗濯槽７内の上部と下部の洗濯水が混ざり、均一に昇温することができる。一方、洗濯槽７内の洗濯液の量が所定量より少ない時には、加熱装置１９のみを動作することで、無駄な電力を使用することなく、均一に昇温することができる。
【００５９】
本実施の形態では、洗濯液の所定量は、種々実験の結果、洗濯・脱水容量の洗濯物を洗濯する際に必要とする洗濯液の約１／４に設定している。より具体液には、洗濯・脱水容量の重量が１０Ｋｇ、１２Ｋｇの洗濯機を用いて実験しており、その結果、所定量を３０Ｌに設定している。
【００６０】
洗濯する衣類の量が少なく、洗濯に必要な洗濯液の量が少ない場合には、洗濯槽７内の洗濯液中の衣類の高さが吐出口１６の高さよりも十分低く、パルセータ８を動作することで吐出口１６から洗濯槽７内に洗濯液が吐出、散水される。
【００６１】
逆に、洗濯する衣類の量が多く、洗濯に必要な洗濯液の量が多い場合には、洗濯槽７内の洗濯液中の衣類が吐出口１６の高さよりも十分高く、循環ポンプ２７を動作させることで注水口２９から洗濯槽７内に洗濯液が散水される。
【００６２】
よって、洗濯槽７内の衣類の量が少ない時には、加熱装置１９を動作させた後にパルセータ８のみを動作することで、無駄な電力を使用することなく、均一に昇温することができる。また、洗濯槽７内の衣類の量が多い時には、加熱装置１９と循環ポンプ２７を同時に作動することで、洗濯槽７内の上部と下部の洗濯液が混ざり、均一に昇温することができる。
【００６３】
加熱工程においては、洗濯液が加熱装置１９によって加熱され、洗濯に適した所定の温度、本実施の形態では、約１５℃や約４０℃に加熱される。
【００６４】
洗濯液が所定温度より少許低い一定温度に達すると、循環ポンプ２７を作動し、洗濯液を循環して注水口２９から洗濯物に供給させる。温めた洗濯液を循環させるので、粉末洗剤を効率よく溶かすことができ、粉末洗剤の溶け残りを抑制でき、洗濯効率を向上することができる。
【００６５】
注水口２９から供給される洗濯液は、高い位置から洗濯物に供給されるので、洗濯物に当たって泡立ち、泡が洗濯物に浸透し、繊維の奥に付着した汚れを洗い流す。洗濯液は温められているので、洗剤の酵素が活性化し、洗浄力を向上することができる。
【００６６】
洗濯液が所定の温度に達すると、パルセータ８を交互に正逆回転させる。パルセータ８の回転により洗濯槽７内の洗濯物を洗濯水と共に撹拌し、洗濯物を洗濯する。洗濯液を加熱して撹拌するので、粉末洗剤の溶け残りを抑制することができる。この状態においても循環ポンプ２７の動作を継続し、洗浄効率を向上させる。
【００６７】
パルセータ８が回転すると、洗濯液が羽根８ａの回転による遠心力でから外周側へ押しやられ、循環水路を上昇し、吐出口１６から洗濯槽７内の洗濯物に向かって散水される。
【００６８】
吐出口１６から洗濯物に散水される洗濯液は、所定の温度に加熱されているため、洗剤中の酵素が活性化して洗濯物の繊維に染み付いた汚れを効率よく洗浄することができる。
【００６９】
温水による洗い工程が終了すると、排水弁（図示せず）を開放し、排水を行なう。排水が終了すると、脱水を行なう。脱水は、洗濯槽７を一方向に、本実施の形態では、上方から見て洗濯槽７を時計方向に高速回転させることにより行なう。
【００７０】
脱水の後、給水手段を作動させて所定量の水を洗濯槽７に給水し、すすぎ工程を行い、さらに、脱水工程を行い、洗濯の各工程を終了する。
【００７１】
脱水工程においては、洗濯槽７を上方から見て時計方向に高速回転させて行う。洗濯槽７の回転により、水槽５内に図７に示す矢印Ａ方向に気流が発生し、脱水された洗濯液が気流と共に流れる。
【００７２】
取付部２０の第１の側面２０ａは、上方になるに従って洗濯槽７の回転方向側に傾斜しているので、洗濯槽７の回転に伴う流れは、第１の側面２０ａの傾斜に沿って導かれる。第１の側面２０ａが傾斜しているので、洗濯槽７の回転に伴う流れが遮られるのが抑制され、乱流の発生が抑制され、振動の発生が抑制される。
【００７３】
第２の側面２０ｂは、加熱装置１９を装着するために略垂直に形成されているが、第１の側面２０ａよりも洗濯槽７の回転に伴う流れの下流側に位置するため、流れを妨げることがなく、乱流を発生させることがない。
【００７４】
水槽５底面は、凹部１７に向かって傾斜し、凹部１７底面は、排水口１８に向かって傾斜している。排水工程において、水槽５内の洗濯液は、排水口１８に向かって流れる。加熱装置１９は、排水口１８から離間した位置に配設しているので、水槽５内の回転軸６に対して加熱装置１９と対向する位置の洗濯液は、加熱装置１９を介することなく排水口１８から流出する。加熱装置１９を経由する洗濯液の量が減少するため、洗濯液に含まれるリントが加熱装置１９に付着するのが抑制される。
【００７５】
加熱装置１９に不具合が生じた場合など、加熱装置１９のメンテナンスが必要な場合には、洗濯機を扉体３が臨む位置まで回転させ、筐体１から扉体３を取り外す。加熱装置１９は、扉体３を取り外した開口２に臨む位置に配設されているため、扉体３を取り外すことにより加熱装置１９を視認することが可能となる。
【００７６】
加熱装置１９の両端の端子から配線を取り外し、固定ねじ（図示せず）を取り外すことにより加熱装置１９を水槽５から取り外すことが可能となる。加熱装置１９を水槽５から引き抜き、メンテナンスを行なうことができる。加熱装置１９を新たな加熱装置１９に交換する場合には、新たな加熱装置１９を水槽５の取付部２０の開口部２１に挿入し、固定ねじを螺合して、加熱装置１９を水槽５に固定し、加熱装置１９の端子に配線を取り付ける。扉体３を筐体１に取り付け、洗濯機を元の位置に戻すことによりメンテナンスが完了する。
【００７７】
水槽５底面は、排水口１８に向かって漸次低くなるように傾斜し、水槽５底面は、凹部１７の底面も含めて、外周側が最も高くなるように形成されている。水槽５底面には、裏面側に、凹部１７の裏面も含めて補強リブ３１を形成している。凹部１７裏面の外周側を高くすることにより、凹部１７裏面に位置する補強リブ３１の高さを高く形成することができ、凹部１７の強度を向上することができる。
【００７８】
加熱装置１９は、水槽５底面と略平行に装着されており、水平面に対して排水口１８側が低くなるように傾斜して配置されている。加熱装置１９が水槽５底面と略平行に配置されているので、排水口１８に向かって流れる排水の抵抗になりにくく、排水中に含まれるリントが加熱装置１９に絡みつくのを抑制することができる。
【００７９】
本実施の形態では、開口２を筐体１の背面側に形成したが、筐体１の側面に形成し、加熱装置１９を筐体１側面の開口２に臨ませてもよく、開口２を筐体１の前面に形成し、加熱装置１９を筐体１前面の開口２に臨ませても良い。
【００８０】
開口２を筐体１の側面、あるいは前面に配設することにより、メンテナンス時の洗濯機の移動量を低減でき、作業性を向上することができる。
【産業上の利用可能性】
【００８１】
以上のように、本発明にかかる洗濯機は、洗濯槽内の洗濯液を均一に温めることができ、洗いやすすぎ性能のムラを軽減することができるので、洗濯乾燥機、業務用洗濯機等の用途にも適用できる。
【符号の説明】
【００８２】
１  筐体
２  開口
３  扉体
５  水槽
７  洗濯槽
８  パルセータ
９  モータ
１７  凹部
１９  加熱装置
２０  取付部
２０ａ  第１の側面
２０ｂ  第２の側面
２１  開口部
２３  温度センサ
２４  遮熱板
２５  加熱板
２７  循環ポンプ
２８  循環路
２９  注水口
３３  制御装置
【図１】
2019181093.tif 000003
【図２】
2019181093.tif 000004
【図３】
2019181093.tif 000005
【図４】
2019181093.tif 000006
【図５】
2019181093.tif 000007
【図６】
2019181093.tif 000008
【図７】
2019181093.tif 000009
【図８】
2019181093.tif 000010
【図９】
2019181093.tif 000011
【図１０】
2019181093.tif 000012